【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
第一マルチキャリアトランシーバーおよび第二マルチキャリアトランシーバーを含むマルチキャリア通信システムにおいて初期化ステート長を変更する方法であって、
前記第一マルチキャリアトランシーバーから前記第二マルチキャリアトランシーバーに対し、初期化ステートにおけるマルチキャリア記号の最小数を識別する情報を送信するステップ、
前記第一マルチキャリアトランシーバーから前記第二マルチキャリアトランシーバーに対し、前記初期化ステートの間、少なくとも前記マルチキャリア記号の最小数を送信するステップ、および、
前記第二マルチキャリアトランシーバーから前記第一マルチキャリアトランシーバーに対し、前記第一マルチキャリアトランシーバーが前記初期化ステートを出て新しい初期化ステートに入ることを可能とする所定の信号を送信するステップ、を備え、
前記所定信号は、前記第二マルチキャリアトランシーバーが前記初期化ステートにおいて少なくともマルチキャリア記号の最小数を受信した後に、前記第二マルチキャリアトランシーバーから前記第一マルチキャリアトランシーバーに送信されること、
を特徴とするもの。
【請求項２】
請求項１の方法において、前記初期化ステートにおけるマルチキャリア記号の最小数は、前記初期化ステート用のマルチキャリア記号の所定の最大数に満たないこと、
を特徴とするもの。
【請求項３】
請求項１の方法において、前記情報は、識別子、信号およびメッセージの少なくとも一つであること、
を特徴とするもの。
【請求項４】
マルチキャリアトランシーバーにおいて初期化ステート長を変更する方法であって、
第二マルチキャリアトランシーバーに対し、初期化ステートにおけるマルチキャリア記号の最小数を識別する情報を送信するステップ、
第二マルチキャリアトランシーバーに対し、前記初期化ステートの間、少なくとも前記マルチキャリア記号の最小数を送信するステップ、および
前記第二マルチキャリアトランシーバーから、前記初期化ステートを出て新しい初期化ステートに入ることを可能とする所定の信号を受信するステップ、を備え、
前記所定信号は、前記初期化ステートにおいて少なくとも前記マルチキャリア記号の最小数を送信した後に、前記第二マルチキャリアトランシーバーから受信されること、
を特徴とするもの。
【請求項５】
請求項４の方法において、前記初期化ステートにおける前記マルチキャリア記号の最小数は、前記初期化ステート用のマルチキャリア記号の所定の最大数に満たないこと、
を特徴とするもの。
【請求項６】
請求項４の方法において、前記情報は、識別子、信号およびメッセージの少なくとも一つであること、
を特徴とするもの。
【請求項７】
マルチキャリアトランシーバーにおいて初期化ステート長を変更する方法であって、    第二マルチキャリアトランシーバーから、初期化ステートにおけるマルチキャリア記号の最小数を識別する情報を受信するステップ、
前記第二マルチキャリアトランシーバーから、前記初期化ステートの間、少なくとも前記マルチキャリア記号の最小数を受信するステップ、および
前記第二マルチキャリアトランシーバー対し、前記初期化ステートを出て新しい初期化ステートに入ることを可能とする所定の信号を送信するステップ、を備え、
前記所定信号は、前記初期化ステートにおいて少なくとも前記マルチキャリア記号の最小数を受信した後に、前記第二マルチキャリアトランシーバーに送信されること、
を特徴とするもの。
【請求項８】
請求項７の方法において、前記初期化ステートにおける前記マルチキャリア記号の最小数は、前記初期化ステート用のマルチキャリア記号の所定の最大数に満たないこと、
を特徴とするもの。
【請求項９】
請求項７の方法において、前記情報は、識別子、信号およびメッセージの少なくとも一つであること、
を特徴とするもの。
【請求項１０】
第一マルチキャリアトランシーバーおよび第二マルチキャリアトランシーバーを含むマルチキャリアトランシーバーにおいて初期化ステート長を変更する方法であって、
前記第一マルチキャリアトランシーバーから前記第二マルチキャリアトランシーバーに対し、初期化ステートにおけるマルチキャリア記号の最小数を識別する情報を送信するステップ、  
前記第二マルチキャリアトランシーバーから前記第一マルチキャリアトランシーバーに対し、前記初期化ステートの間、少なくとも前記マルチキャリア記号の最小数を送信するステップ、および、
前記第二マルチキャリアトランシーバーから前記第一マルチキャリアトランシーバーに対し、前記初期化ステートを出て新しい初期化ステートに入ることを示す所定の信号を送信するステップ、を備え、
前記所定信号は、前記第二マルチキャリアトランシーバーが前記初期化ステートにおいて少なくともマルチキャリア記号の最小数を送信した後に、前記第二マルチキャリアトランシーバーから前記第一マルチキャリアトランシーバーに送信されること、
を特徴とするもの。
【請求項１１】
請求項１０の方法において、前記初期化ステートにおける前記マルチキャリア記号の最小数は、前記初期化ステート用のマルチキャリア記号の所定の最大数に満たないこと、
を特徴とするもの。
【請求項１２】
請求項１０の方法において、前記情報は、識別子、信号およびメッセージの少なくとも一つであること、
を特徴とするもの。
【請求項１３】
マルチキャリアトランシーバーにおいて初期化ステート長を変更する方法であって、
第二マルチキャリアトランシーバーに対し、初期化ステートにおけるマルチキャリア記号の最小数を識別する情報を送信するステップ、
前記第二マルチキャリアトランシーバーから、前記初期化ステートの間、少なくとも前記マルチキャリア記号の最小数を受信するステップ、
前記第二マルチキャリアトランシーバーから、前記初期化ステートを出て新しい初期化ステートに入ることを示す所定の信号を受信するステップ、を備え、
前記所定信号は、前記初期化ステートにおいて少なくとも前記マルチキャリア記号の最小数を送信した後に、前記第二マルチキャリアトランシーバーから受信されること、
を特徴とするもの。
【請求項１４】
請求項１３の方法において、前記初期化ステートにおける前記マルチキャリア記号の最小数は、前記初期化ステート用のマルチキャリア記号の所定の最大数に満たないこと、
を特徴とするもの。
【請求項１５】
請求項１３の方法において、前記情報は、識別子、信号およびメッセージの少なくとも一つであること、
を特徴とするもの。
【請求項１６】
マルチキャリアトランシーバーにおいて初期化ステート長を変更する方法であって、
第二マルチキャリアトランシーバーから、初期化ステートにおけるマルチキャリア記号の最小数を識別する情報を受信するステップ、
前記第二マルチキャリアトランシーバーから、前記初期化ステートの間、少なくとも前記マルチキャリア記号の最小数を送信するステップ、および
前記第二マルチキャリアトランシーバーに、前記初期化ステートを出て新しい初期化ステートに入ることを示す所定の信号を送信するステップ、を備え、
前記所定信号は、前記初期化ステートにおいて少なくとも前記マルチキャリア記号の最小数を受信した後に、前記第二マルチキャリアトランシーバーに送信されること、
を特徴とするもの。
【請求項１７】
請求項１６の方法において、前記初期化ステートにおける前記マルチキャリア記号の最小数は、前記初期化ステート用のマルチキャリア記号の所定の最大数に満たないこと、
を特徴とするもの。
【請求項１８】
請求項１６の方法において、前記情報は、識別子、信号およびメッセージの少なくとも一つであること、
を特徴とするもの。
【請求項１９】
第一マルチキャリアトランシーバーおよび第二マルチキャリアトランシーバーを含む、初期化ステート長を変更可能なマルチキャリア通信システムであって、  
前記第一マルチキャリアトランシーバーから前記第二マルチキャリアトランシーバーに対し、初期化ステートにおけるマルチキャリア記号の最小数を識別する情報を送信する手段、
前記第一マルチキャリアトランシーバーから前記第二マルチキャリアトランシーバーに対し、前記初期化ステートの間、少なくとも前記マルチキャリア記号の最小数を送信する手段、および、
前記第二マルチキャリアトランシーバーから前記第一マルチキャリアトランシーバーに対し、前記第一マルチキャリアトランシーバーが前記初期化ステートを出て新しい初期化ステートに入ることを可能とする所定の信号を送信する手段、を備え、
前記所定信号は、前記第二マルチキャリアトランシーバーが前記初期化ステートにおいて少なくともマルチキャリア記号の最小数を受信した後に、前記第二マルチキャリアトランシーバーから前記第一マルチキャリアトランシーバーに送信されること、
を特徴とするもの。
【請求項２０】
請求項１９のシステムにおいて、前記初期化ステートにおけるマルチキャリア記号の最小数は、前記初期化ステート用のマルチキャリア記号の所定の最大数に満たないこと、
を特徴とするもの。
【請求項２１】
請求項１９のシステムにおいて、前記情報は、識別子、信号およびメッセージの少なくとも一つであること、
を特徴とするもの。
【請求項２２】
初期化ステート長を変更可能なマルチキャリアトランシーバーであって、
第二マルチキャリアトランシーバーに対し、初期化ステートにおけるマルチキャリア記号の最小数を識別する情報を送信する手段、
前記第二マルチキャリアトランシーバーに対し、前記初期化ステートの間、少なくとも前記マルチキャリア記号の最小数を送信する手段、および、
前記第二マルチキャリアトランシーバーから、前記初期化ステートを出て新しい初期化ステートに入ることを可能とする所定の信号を受信する手段、を備え、
前記所定信号は、前記初期化ステートにおいて少なくともマルチキャリア記号の最小数が送信された後に、前記第二マルチキャリアトランシーバーから受信されること、
を特徴とするもの。
【請求項２３】
請求項２２のトランシーバーにおいて、前記初期化ステートにおけるマルチキャリア記号の最小数は、前記初期化ステート用のマルチキャリア記号の所定の最大数に満たないこと、
を特徴とするもの。
【請求項２４】
請求項２２のトランシーバーにおいて、前記情報は、識別子、信号およびメッセージの少なくとも一つであること、
を特徴とするもの。
【請求項２５】
初期化ステート長を変更可能なマルチキャリアトランシーバーであって、
第二マルチキャリアトランシーバーから、初期化ステートにおけるマルチキャリア記号の最小数を識別する情報を受信する手段、
第二マルチキャリアトランシーバーから、前記初期化ステートの間、少なくとも前記マルチキャリア記号の最小数を受信する手段、および
前記第二マルチキャリアトランシーバー対し、前記初期化ステートを出て新しい初期化ステートに入ることを可能とする所定の信号を送信する手段、を備え、
前記所定信号は、前記初期化ステートにおいて少なくとも前記マルチキャリア記号の最小数を受信した後に、前記第二マルチキャリアトランシーバーに送信されること、
を特徴とするもの。
【請求項２６】
請求項２５のトランシーバーにおいて、前記初期化ステートにおけるマルチキャリア記号の最小数は、前記初期化ステート用のマルチキャリア記号の所定の最大数に満たないこと、
を特徴とするもの。
【請求項２７】
請求項２５のトランシーバーにおいて、前記情報は、識別子、信号およびメッセージの少なくとも一つであること、
を特徴とするもの。
【請求項２８】
第一マルチキャリアトランシーバーおよび第二マルチキャリアトランシーバーを含む、初期化ステート長を変更可能なマルチキャリア通信システムであって、前記第一マルチキャリアトランシーバーから前記第二マルチキャリアトランシーバーに対し、初期化ステートにおけるマルチキャリア記号の最小数を識別する情報を送信するステップ、  
前記第二マルチキャリアトランシーバーから前記第一マルチキャリアトランシーバーに対し、前記初期化ステートの間、少なくとも前記マルチキャリア記号の最小数を送信するステップ、および、
前記第二マルチキャリアトランシーバーから前記第一マルチキャリアトランシーバーに対し、前記初期化ステートを出て新しい初期化ステートに入ることを示す所定の信号を送信するステップ、を備え、
前記所定信号は、前記第二マルチキャリアトランシーバーが前記初期化ステートにおいて少なくともマルチキャリア記号の最小数を送信した後に、前記第二マルチキャリアトランシーバーから前記第一マルチキャリアトランシーバーに送信されること、
を特徴とするもの。
【請求項２９】
請求項２８のシステムにおいて、前記初期化ステートにおけるマルチキャリア記号の最小数は、前記初期化ステート用のマルチキャリア記号の所定の最大数に満たないこと、
を特徴とするもの。
【請求項３０】
請求項２８のシステムにおいて、前記情報は、識別子、信号およびメッセージの少なくとも一つであること、
を特徴とするもの。
【請求項３１】
初期化ステート長を変更可能なマルチキャリアトランシーバーであって、
第二マルチキャリアトランシーバーに対し、初期化ステートにおけるマルチキャリア記号の最小数を識別する情報を送信する手段、
第二マルチキャリアトランシーバーから、前記初期化ステートの間、少なくとも前記マルチキャリア記号の最小数を受信する手段、および
前記第二マルチキャリアトランシーバーから、前記初期化ステートを出て新しい初期化ステートに入ることを示す所定の信号を受信する手段、を備え、
前記所定信号は、前記初期化ステートにおいて少なくとも前記マルチキャリア記号の最小数を送信した後に、前記第二マルチキャリアトランシーバーから受信されること、
を特徴とするもの。
【請求項３２】
請求項３１のトランシーバーにおいて、前記初期化ステートにおけるマルチキャリア記号の最小数は、前記初期化ステート用のマルチキャリア記号の所定の最大数に満たないこと、
を特徴とするもの。
【請求項３３】
請求項２８のトランシーバーにおいて、前記情報は、識別子、信号およびメッセージの少なくとも一つであること、
を特徴とするもの。
【請求項３４】
初期化ステート長を変更可能なマルチキャリアトランシーバーであって、
第二マルチキャリアトランシーバーから、初期化ステートにおけるマルチキャリア記号の最小数を識別する情報を受信する手段、
前記第二マルチキャリアトランシーバーから、前記初期化ステートの間、少なくとも前記マルチキャリア記号の最小数を送信する手段、および
前記第二マルチキャリアトランシーバーに対し、前記初期化ステートを出て新しい初期化ステートに入ることを示す所定の信号を送信する手段、を備え、
前記所定信号は、前記初期化ステートにおいて少なくとも前記マルチキャリア記号の最小数を受信した後に、前記第二マルチキャリアトランシーバーに送信されること、
を特徴とするもの。
【請求項３５】
請求項３４のトランシーバーにおいて、前記初期化ステートにおけるマルチキャリア記号の最小数は、前記初期化ステート用のマルチキャリア記号の所定の最大数に満たないこと、
を特徴とするもの。
【請求項３６】
請求項３４のトランシーバーにおいて、前記情報は、識別子、信号およびメッセージの少なくとも一つであること、
を特徴とするもの。
【請求項３７】
初期化ステート長を変更可能なマルチキャリア通信システムであって、
初期化ステートにおけるマルチキャリア記号の最小数を識別する情報を送信するとともに、前記初期化ステートの間、少なくとも前記マルチキャリア記号の最小数を送信する第一マルチキャリアトランシーバー、および
前記第一マルチキャリアトランシーバーに対し、前記初期化ステートを出て新しい初期化ステートに入ることを可能とする所定の信号を送信する第二マルチキャリアトランシーバー、を備え、
前記所定信号は、前記第二マルチキャリアトランシーバーが前記初期化ステートにおいて少なくともマルチキャリア記号の最小数を受信した後に、前記第二マルチキャリアトランシーバーから前記第一マルチキャリアトランシーバーに送信されること、
を特徴とするもの。
【請求項３８】
請求項３７のシステムにおいて、前記初期化ステートにおけるマルチキャリア記号の最小数は、前記初期化ステート用のマルチキャリア記号の所定の最大数に満たないこと、
を特徴とするもの。
【請求項３９】
請求項３７のシステムにおいて、前記情報は、識別子、信号およびメッセージの少なくとも一つであること、
を特徴とするもの。
【請求項４０】
初期化ステート長を変更可能なマルチキャリア通信システムであって、
初期化ステートにおいてマルチキャリア記号の最小数を識別する情報を送信するとともに、前記初期化ステートの間、少なくとも前記マルチキャリア記号の最小数を送信する第一マルチキャリアトランシーバー、および
前記初期化ステートを出て新しい初期化ステートに入ることを可能とする、第二マルチキャリアトランシーバーから受信される所定の信号、を備え、
前記所定信号は、前記初期化ステートにおいて少なくともマルチキャリア記号の最小数が送信された後に、前記第二マルチキャリアトランシーバーから受信されること、
を特徴とするもの。
【請求項４１】
請求項４０のシステムにおいて、前記初期化ステートにおけるマルチキャリア記号の最小数は、前記初期化ステート用のマルチキャリア記号の所定の最大数に満たないこと、
を特徴とするもの。
【請求項４２】
請求項４０のシステムにおいて、前記情報は、識別子、信号およびメッセージの少なくとも一つであること、
を特徴とするもの。
【請求項４３】
初期化ステート長を変更可能なマルチキャリアトランシーバーであって、
第二マルチキャリアトランシーバーから、初期化ステートにおけるマルチキャリア記号の最小数を識別する情報、ならびに、前記初期化ステートの間、少なくとも前記マルチキャリア記号の最小数、を受信する受信部、
前記第二マルチキャリアトランシーバーに対し、前記初期化ステートを出て新しい初期化ステートに入ることを可能にする所定の信号、を送信する送信部、を備え、
前記所定信号は、前記初期化ステートにおいて少なくとも前記マルチキャリア記号の最小数を受信した後に、前記第二マルチキャリアトランシーバーに送信されること、
を特徴とするもの。
【請求項４４】
請求項４３のトランシーバーにおいて、前記初期化ステートにおけるマルチキャリア記号の最小数は、前記初期化ステート用のマルチキャリア記号の所定の最大数に満たないこと、
を特徴とするもの。
【請求項４５】
請求項４３のトランシーバーにおいて、前記情報は、識別子、信号およびメッセージの少なくとも一つであること、
を特徴とするもの。
【請求項４６】
第一マルチキャリアトランシーバーおよび第二マルチキャリアトランシーバーを含む、初期化ステート長を変更可能なマルチキャリア通信システムであって、
前記第一マルチキャリアトランシーバーから前記第二マルチキャリアトランシーバーに対し、初期化ステートにおけるマルチキャリア記号の最小数を識別する情報、ならびに、前記初期化ステートの間、少なくとも前記マルチキャリア記号の最小数、を送信する送信部、および
前記第二マルチキャリアトランシーバーから前記第一マルチキャリアトランシーバーに対し、前記初期化ステートを出て新しい初期化ステートに入ることを示す所定の信号、を送信する第二送信部、を備え、
前記所定信号は、前記第二マルチキャリアトランシーバーが前記初期化ステートにおいて少なくとも前記マルチキャリア記号の最小数を受信した後に、前記第二マルチキャリアトランシーバーから前記第一マルチキャリアトランシーバーに送信されること、
を特徴とするもの。
【請求項４７】
請求項４６のシステムにおいて、前記初期化ステートにおけるマルチキャリア記号の最小数は、前記初期化ステート用のマルチキャリア記号の所定の最大数に満たないこと、
を特徴とするもの。
【請求項４８】
請求項４６のシステムにおいて、前記情報は、識別子、信号およびメッセージの少なくとも一つであること、
を特徴とするもの。
【請求項４９】
初期化ステート長を変更可能なマルチキャリアトランシーバーであって、
第二マルチキャリアトランシーバーに対し、初期化ステートにおけるマルチキャリア記号の最小数を識別する情報を送信する送信部、
第二マルチキャリアトランシーバーから、前記初期化ステートの間、少なくとも前記マルチキャリア記号の最小数、ならびに、前記初期化ステートを出て新しい初期化ステートに入ることを示す所定の信号、を受信する受信部、を備え、
前記所定信号は、前記初期化ステートにおいて少なくとも前記マルチキャリア記号の最小数を送信した後に、前記第二マルチキャリアトランシーバーから受信されること、
を特徴とするもの。
【請求項５０】
請求項４９のトランシーバーにおいて、前記初期化ステートにおけるマルチキャリア記号の最小数は、前記初期化ステート用のマルチキャリア記号の所定の最大数に満たないこと、
を特徴とするもの。
【請求項５１】
請求項４９のトランシーバーにおいて、前記情報は、識別子、信号およびメッセージの少なくとも一つであること、
を特徴とするもの。
【請求項５２】
初期化ステート長を変更可能なマルチキャリアトランシーバーであって、
第二マルチキャリアトランシーバーから、初期化ステートにおけるマルチキャリア記号の最小数を識別する情報を受信する受信部、
前記第二マルチキャリアトランシーバーから、前記初期化ステートの間、少なくとも前記マルチキャリア記号の最小数、ならびに、前記初期化ステートを出て新しい初期化ステートに入ることを示す所定の信号、を送信する送信部、を備え、
前記信号は、前記初期化ステートにおいて少なくとも前記マルチキャリア記号の最小数を受信した後に、前記第二マルチキャリアトランシーバーに送信されること、
を特徴とするもの。
【請求項５３】
請求項５２のトランシーバーにおいて、前記初期化ステートにおけるマルチキャリア記号の最小数は、前記初期化ステート用のマルチキャリア記号の所定の最大数に満たないこと、
を特徴とするもの。
【請求項５４】
請求項５２のトランシーバーにおいて、前記情報は、識別子、信号およびメッセージの少なくとも一つであること、
を特徴とするもの。
【請求項５５】
第一マルチキャリアトランシーバーおよび第二マルチキャリアトランシーバーを含むマルチキャリア通信システムにおいて初期化ステート長を変更可能な情報、を備えた情報記憶媒体であって、
前記第一マルチキャリアトランシーバーから前記第二マルチキャリアトランシーバーに対し送信される、初期化ステートにおけるマルチキャリア記号の最小数を識別する情報、
前記初期化ステートの間、前記第一マルチキャリアトランシーバーから前記第二マルチキャリアトランシーバーに対し送信される、少なくとも前記マルチキャリア記号の最小数についての情報、および、
前記第二マルチキャリアトランシーバーから前記第一マルチキャリアトランシーバーに対し送信される、前記第一マルチキャリアトランシーバーが前記初期化ステートを出て新しい初期化ステートに入ることを可能とする所定の信号についての情報、を備え、
前記所定信号は、前記第二マルチキャリアトランシーバーが前記初期化ステートにおいて少なくともマルチキャリア記号の最小数を受信した後に、前記第二マルチキャリアトランシーバーから前記第一マルチキャリアトランシーバーに送信されること、
を特徴とするもの。
【請求項５６】
請求項５５の媒体において、前記初期化ステートにおけるマルチキャリア記号の最小数は、前記初期化ステート用のマルチキャリア記号の所定の最大数に満たないこと、
を特徴とするもの。
【請求項５７】
請求項５５の媒体において、前記情報は、識別子、信号およびメッセージの少なくとも一つであること、
を特徴とするもの。
【請求項５８】
マルチキャリア通信システムにおいて初期化ステート長を変更可能な情報、を備えた情報記憶媒体であって、
第二マルチキャリアトランシーバーに対し送信される、初期化ステートにおけるマルチキャリア記号の最小数を識別する情報、
前記初期化ステートの間、第二マルチキャリアトランシーバーに対し送信される、少なくとも前記マルチキャリア記号の最小数についての情報、および
前記第二マルチキャリアトランシーバーから受信される、前記初期化ステートを出て新しい初期化ステートに入ることを可能とする所定の信号についての情報、を備え、
前記所定信号は、前記初期化ステートにおいて少なくとも前記マルチキャリア記号の最小数を送信した後に、前記第二マルチキャリアトランシーバーに送信されること、
を特徴とするもの。
【請求項５９】
請求項５８の媒体において、前記初期化ステートにおけるマルチキャリア記号の最小数は、前記初期化ステート用のマルチキャリア記号の所定の最大数に満たないこと、
を特徴とするもの。
【請求項６０】
請求項５８の媒体において、前記情報は、識別子、信号およびメッセージの少なくとも一つであること、
を特徴とするもの。
【請求項６１】
マルチキャリアトランシーバーにおいて初期化ステート長を変更可能な情報、を備えた情報記憶媒体であって、
第二マルチキャリアトランシーバーから受信される、初期化ステートにおけるマルチキャリア記号の最小数を識別する情報、
第二マルチキャリアトランシーバーから受信される、前記初期化ステートの間、少なくとも前記マルチキャリア記号の最小数についての情報、および
前記第二マルチキャリアトランシーバー対し送信される、前記初期化ステートを出て新しい初期化ステートに入ることを可能とする所定の信号についての情報、を備え、
前記所定信号は、前記初期化ステートにおいて少なくとも前記マルチキャリア記号の最小数を受信した後に、前記第二マルチキャリアトランシーバーに送信されること、
を特徴とするもの。
【請求項６２】
請求項６１の媒体において、前記初期化ステートにおけるマルチキャリア記号の最小数は、前記初期化ステート用のマルチキャリア記号の所定の最大数に満たないこと、
を特徴とするもの。
【請求項６３】
請求項６１の媒体において、前記情報は、識別子、信号およびメッセージの少なくとも一つであること、
を特徴とするもの。
【請求項６４】
第一マルチキャリアトランシーバーおよび第二マルチキャリアトランシーバーを含むマルチキャリア通信システムにおいて初期化ステート長を変更可能な情報、を備えた情報記憶媒体であって、
前記第一マルチキャリアトランシーバーから前記第二マルチキャリアトランシーバーに対し送信される、初期化ステートにおけるマルチキャリア記号の最小数を識別する情報、  前記初期化ステートの間、前記第二マルチキャリアトランシーバーから前記第一マルチキャリアトランシーバーに対し送信される、少なくとも前記マルチキャリア記号の最小数についての情報、および、
前記第二マルチキャリアトランシーバーから前記第一マルチキャリアトランシーバーに対し送信される、前記初期化ステートを出て新しい初期化ステートに入ることを示す所定の信号についての情報、を備え、
前記所定信号は、前記第二マルチキャリアトランシーバーが前記初期化ステートにおいて少なくともマルチキャリア記号の最小数を送信した後に、前記第二マルチキャリアトランシーバーから前記第一マルチキャリアトランシーバーに送信されること、
を特徴とするもの。
【請求項６５】
請求項６４の媒体において、前記初期化ステートにおけるマルチキャリア記号の最小数は、前記初期化ステート用のマルチキャリア記号の所定の最大数に満たないこと、
を特徴とするもの。
【請求項６６】
請求項６４の媒体において、前記情報は、識別子、信号およびメッセージの少なくとも一つであること、
を特徴とするもの。
【請求項６７】
マルチキャリアトランシーバーにおいて初期化ステート長を変更可能な情報、を備えた情報記憶媒体であって、
第二マルチキャリアトランシーバーに対し送信される、初期化ステートにおけるマルチキャリア記号の最小数を識別する情報、
前記初期化ステートの間、前記第二マルチキャリアトランシーバーから受信される、少なくとも前記マルチキャリア記号の最小数についての情報、
前記第二マルチキャリアトランシーバーから受信される、前記初期化ステートを出て新しい初期化ステートに入ることを示す所定の信号についての情報、を備え、
前記所定信号は、前記初期化ステートにおいて少なくとも前記マルチキャリア記号の最小数を送信した後に、前記第二マルチキャリアトランシーバーから受信されること、
を特徴とするもの。
【請求項６８】
請求項６７の媒体において、前記初期化ステートにおけるマルチキャリア記号の最小数は、前記初期化ステート用のマルチキャリア記号の所定の最大数に満たないこと、
を特徴とするもの。
【請求項６９】
請求項６７の媒体において、前記情報は、識別子、信号およびメッセージの少なくとも一つであること、
を特徴とするもの。
【請求項７０】
マルチキャリアトランシーバーにおいて初期化ステート長を変更可能な情報、を備えた情報記憶媒体であって、
第二マルチキャリアトランシーバーから受信される、初期化ステートにおけるマルチキャリア記号の最小数を識別する情報、
前記初期化ステートの間、前記第二マルチキャリアトランシーバーから送信される、少なくとも前記マルチキャリア記号の最小数についての情報、および
前記第二マルチキャリアトランシーバーに対して送信される、前記初期化ステートを出て新しい初期化ステートに入ることを示す所定の信号についての情報、を備え、
前記所定信号は、前記初期化ステートにおいて少なくとも前記マルチキャリア記号の最小数を受信した後に、前記第二マルチキャリアトランシーバーに送信されること、
を特徴とするもの。
【請求項７１】
請求項７０の媒体において、前記初期化ステートにおけるマルチキャリア記号の最小数は、前記初期化ステート用のマルチキャリア記号の所定の最大数に満たないこと、
を特徴とするもの。
【請求項７２】
請求項７０の媒体において、前記情報は、識別子、信号およびメッセージの少なくとも一つであること、
を特徴とするもの。
【請求項７３】
第一マルチキャリアトランシーバーおよび第二マルチキャリアトランシーバーを含むマルチキャリア通信システムにおいて初期化ステート長を変更する通信プロトコルであって、
前記第一マルチキャリアトランシーバーから前記第二マルチキャリアトランシーバーに対し、初期化ステートにおけるマルチキャリア記号の最小数を識別する情報を送信するステップ、
前記第一マルチキャリアトランシーバーから前記第二マルチキャリアトランシーバーに対し、前記初期化ステートの間、少なくとも前記マルチキャリア記号の最小数を送信するステップ、および、
前記第二マルチキャリアトランシーバーから前記第一マルチキャリアトランシーバーに対し、前記第一マルチキャリアトランシーバーが前記初期化ステートを出て新しい初期化ステートに入ることを可能とする所定の信号を送信するステップ、を備え、
前記所定信号は、前記第二マルチキャリアトランシーバーが前記初期化ステートにおいて少なくともマルチキャリア記号の最小数を受信した後に、前記第二マルチキャリアトランシーバーから前記第一マルチキャリアトランシーバーに送信されること、
を特徴とするもの。
【請求項７４】
請求項７３のプロトコルにおいて、前記初期化ステートにおけるマルチキャリア記号の最小数は、前記初期化ステート用のマルチキャリア記号の所定の最大数に満たないこと、
を特徴とするもの。
【請求項７５】
請求項７３のプロトコルにおいて、前記情報は、識別子、信号およびメッセージの少なくとも一つであること、
を特徴とするもの。
【請求項７６】
マルチキャリアトランシーバーにおいて初期化ステート長を変更する通信プロトコルであって、
第二マルチキャリアトランシーバーに対し、初期化ステートにおけるマルチキャリア記号の最小数を識別する情報を送信するステップ、
第二マルチキャリアトランシーバーに対し、前記初期化ステートの間、少なくとも前記マルチキャリア記号の最小数を送信するステップ、および
前記第二マルチキャリアトランシーバーから、前記初期化ステートを出て新しい初期化ステートに入ることを可能とする所定の信号を受信するステップ、を備え、
前記所定信号は、前記初期化ステートにおいて少なくとも前記マルチキャリア記号の最小数を送信した後に、前記第二マルチキャリアトランシーバーから受信されること、
を特徴とするもの。
【請求項７７】
請求項７６のプロトコルにおいて、前記初期化ステートにおけるマルチキャリア記号の最小数は、前記初期化ステート用のマルチキャリア記号の所定の最大数に満たないこと、
を特徴とするもの。
【請求項７８】
請求項７６のプロトコルにおいて、前記情報は、識別子、信号およびメッセージの少なくとも一つであること、
を特徴とするもの。
【請求項７９】
マルチキャリアトランシーバーにおいて初期化ステート長を変更する通信プロトコルであって、
第二マルチキャリアトランシーバーから、初期化ステートにおけるマルチキャリア記号の最小数を識別する情報を受信するステップ、
前記第二マルチキャリアトランシーバーから、前記初期化ステートの間、少なくとも前記マルチキャリア記号の最小数を受信するステップ、および
前記第二マルチキャリアトランシーバー対し、前記初期化ステートを出て新しい初期化ステートに入ることを可能とする所定の信号を送信するステップ、を備え、
前記所定信号は、前記初期化ステートにおいて少なくとも前記マルチキャリア記号の最小数を受信した後に、前記第二マルチキャリアトランシーバーに送信されること、
を特徴とするもの。
【請求項８０】
請求項７９のプロトコルにおいて、前記初期化ステートにおけるマルチキャリア記号の最小数は、前記初期化ステート用のマルチキャリア記号の所定の最大数に満たないこと、
を特徴とするもの。
【請求項８１】
請求項７９のプロトコルにおいて、前記情報は、識別子、信号およびメッセージの少なくとも一つであること、
を特徴とするもの。
【請求項８２】
第一マルチキャリアトランシーバーおよび第二マルチキャリアトランシーバーを含むマルチキャリア通信システムにおいて初期化ステート長を変更する通信プロトコルであって、  前記第一マルチキャリアトランシーバーから前記第二マルチキャリアトランシーバーに対し、初期化ステートにおけるマルチキャリア記号の最小数を識別する情報、を送信するステップ、  
前記第二マルチキャリアトランシーバーから前記第一マルチキャリアトランシーバーに対し、前記初期化ステートの間、少なくとも前記マルチキャリア記号の最小数を送信するステップ、および、
前記第二マルチキャリアトランシーバーから前記第一マルチキャリアトランシーバーに対し、前記初期化ステートを出て新しい初期化ステートに入ることを示す所定の信号を送信するステップ、を備え、
前記所定信号は、前記第二マルチキャリアトランシーバーが前記初期化ステートにおいて少なくともマルチキャリア記号の最小数を送信した後に、前記第二マルチキャリアトランシーバーから前記第一マルチキャリアトランシーバーに送信されること、
を特徴とするもの。
【請求項８３】
請求項８２のプロトコルにおいて、前記初期化ステートにおけるマルチキャリア記号の最小数は、前記初期化ステート用のマルチキャリア記号の所定の最大数に満たないこと、
を特徴とするもの。
【請求項８４】
請求項８２のプロトコルにおいて、前記情報は、識別子、信号およびメッセージの少なくとも一つであること、
を特徴とするもの。
【請求項８５】
マルチキャリアトランシーバーにおいて初期化ステート長を変更する通信プロトコルであって、
第二マルチキャリアトランシーバーに対し、初期化ステートにおけるマルチキャリア記号の最小数を識別する情報を送信するステップ、
前記第二マルチキャリアトランシーバーから、前記初期化ステートの間、少なくとも前記マルチキャリア記号の最小数を受信するステップ、
前記第二マルチキャリアトランシーバーから、前記初期化ステートを出て新しい初期化ステートに入ることを示す所定の信号を受信するステップ、を備え、
前記所定信号は、前記初期化ステートにおいて少なくとも前記マルチキャリア記号の最小数を送信した後に、前記第二マルチキャリアトランシーバーから受信されること、
を特徴とするもの。
【請求項８６】
請求項８５のプロトコルにおいて、前記初期化ステートにおけるマルチキャリア記号の最小数は、前記初期化ステート用のマルチキャリア記号の所定の最大数に満たないこと、
を特徴とするもの。
【請求項８７】
請求項８５のプロトコルにおいて、前記情報は、識別子、信号およびメッセージの少なくとも一つであること、
を特徴とするもの。
【請求項８８】
マルチキャリアトランシーバーにおいて初期化ステート長を変更する通信プロトコルであって、
第二マルチキャリアトランシーバーから、初期化ステートにおけるマルチキャリア記号の最小数を識別する情報を受信するステップ、
第二マルチキャリアトランシーバーから、前記初期化ステートの間、少なくとも前記マルチキャリア記号の最小数を送信するステップ、および
前記第二マルチキャリアトランシーバーに、前記初期化ステートを出て新しい初期化ステートに入ることを示す所定の信号を送信するステップ、を備え、
前記所定信号は、前記初期化ステートにおいて少なくとも前記マルチキャリア記号の最小数を受信した後に、前記第二マルチキャリアトランシーバーに送信されること、
を特徴とするもの。
【請求項８９】
請求項８８のプロトコルにおいて、前記初期化ステートにおけるマルチキャリア記号の最小数は、前記初期化ステート用のマルチキャリア記号の所定の最大数に満たないこと、
を特徴とするもの。
【請求項９０】
請求項８８のプロトコルにおいて、前記情報は、識別子、信号およびメッセージの少なくとも一つであること、
を特徴とするもの。